(57)【要約】【課題】確実な光学的接続を容易に行うことができる光コネクタ組付け用治具および光コネクタ組付け方法を提供する。【解決手段】光コネクタ組付け用治具１０は、光ファイバ９０を収容する光ファイバ収容溝１２を長手方向に有し、光ファイバ収容溝１２に収容されている光ファイバ９０の内蔵光ファイバから離れる後部９４を拘束する光ファイバ後部押え１４を有するベース１１と、光ファイバ収容溝１２に収容されている光ファイバ９０の内蔵光ファイバに近い前部９３を支持する光ファイバ前部支持部１６を有してベース１１の長手方向に移動可能なガイド１５とを備えている。そして、ベース１１を光コネクタ７３に向けて進行させることで光ファイバ９０の中間部９５を光ファイバ収容溝１２から離脱させて撓ませる。そして、ベース１１を光コネクタ７３に向けてさらに進行させることで、光ファイバ９０に有する心線９１を内蔵光ファイバに接続することができる。【選択図】図１
2009271431.tif 000002
【特許請求の範囲】
【請求項１】
内蔵光ファイバを有する光コネクタに、メカニカルスプライスを用いて光ファイバを接続する光コネクタ組付け用治具であって、
前記光ファイバを収容する光ファイバ収容溝を長手方向に有し、該光ファイバ収容溝に収容されている該光ファイバの前記内蔵光ファイバから離れる後部を拘束する光ファイバ後部押えを有するベースと、
前記光ファイバ収容溝に収容されている前記光ファイバの前記内蔵光ファイバに近い前部を支持する光ファイバ前部支持部を有して前記ベースの長手方向に移動可能なガイドと、を備え、
前記ベースを前記光コネクタに向けて進行させることで前記光ファイバの中間部を該光ファイバ収容溝から離脱させて撓ませ、該ベースを該光コネクタに向けてさらに進行させることで、該光ファイバを前記内蔵光ファイバに接続することを特徴とする光コネクタ組付け用治具。
【請求項２】
前記光ファイバ収容溝は、前記ベースの底部から上部に向けて凸形状に形成されていることを特徴とする請求項１記載の光コネクタ組付け用治具。
【請求項３】
前記ベースは、前記光ファイバ収容溝に収容されている前記光ファイバの中間部を拘束可能な光ファイバ中間部押えを有することを特徴とする請求項１または２記載の光コネクタ組付け用治具。
【請求項４】
前記ガイドの前記光ファイバ中間部押えは、前記ベースの進行により自動的に開放されることを特徴とする請求項３記載の光コネクタ組付け用治具。
【請求項５】
内蔵光ファイバを有する光コネクタに、メカニカルスプライスを用いて光ファイバを接続する光コネクタ組付け方法であって、
前記光ファイバを収容する光ファイバ収容溝を長手方向に有し、該光ファイバ収容溝に収容されている前記光ファイバの前記内蔵光ファイバから離れる後部を拘束する光ファイバ後部押えを有するベースと、前記光ファイバ収容溝に収容されている該光ファイバの該内蔵光ファイバに近い前部を支持する光ファイバ前部支持部を有して該ベースの長手方向に移動可能なガイドと、を備えた光コネクタ組付け用治具を用い、
前記ガイドの前記光ファイバ前部支持部により前記光ファイバの前部を支持して、前記光ファイバ後部押えにより前記光ファイバ収容溝に収容されている該光ファイバの後部を押え、前記ベースを前記光コネクタに向けて進行させる工程と、
前記光ファイバの中間部を前記光ファイバ収容溝から離脱させて撓ませ、前記ベースを前記光コネクタに向けてさらに進行させて、該光ファイバを前記内蔵光ファイバに接続する工程と、を含むことを特徴とする光コネクタ組付け方法。
【発明の詳細な説明】
【技術分野】
【０００１】
本発明は、内蔵光ファイバを有する光コネクタに、メカニカルスプライスを用いて光ファイバを接続する光コネクタ組付け用治具および光コネクタ組付け方法に関する。
【背景技術】
【０００２】
近年、インターネットの急速な普及により高速データ通信の要求が高まっており、各家庭まで光ファイバを布設するＦＴＴＨ（Ｆｉｂｅｒ  Ｔｏ  Ｔｈｅ  Ｈｏｍｅ）のサービスが拡大している。そこで、一般家庭内においても光接続用の光コネクタが取り扱われることが見込まれている。例えば、戸内で光通信機器に接続された光ファイバコードの端末に光コネクタを取り付け、壁面等に設けられた光接続用のアダプタに光コネクタのプラグを差し込むことにより、家庭内の光通信機器をＦＴＴＨのネットワークに接続させることが考えられる。
【０００３】
このような用途で使用される従来の光コネクタ組付け用治具および光コネクタ組付け方法の一例として、図１６に示すように、操作ボタン１０１を押動することで、ホルダ１０２に保持されている光ファイバ１０３をメカニカルスプライス設置部１０４に移動させるようにした光コネクタ組付け用治具１００が知られている（例えば、特許文献１参照）。
【０００４】
【特許文献１】特開２００２−７１９９９号公報
【発明の開示】
【発明が解決しようとする課題】
【０００５】
ところが、上記特許文献１に開示された光コネクタ組付け用治具１００では、操作ボタン１０１を片手で握ることで簡単に接続を行えるものの、接続時の挿入荷重が小さいと、確実な光学的接続を行うことができない。また、光ファイバ１０３の心線が、例えば、０．９ｍｍ等の大径である場合、光ファイバ１０３に折れを生じる可能性があり、適切な挿入荷重（例えば、０．２Ｎ）での挿入を行うことが難しかった。
【０００６】
本発明は、上述した事情に鑑みてなされたものであり、その目的は、確実な光学的接続を容易に行うことができる光コネクタ組付け用治具および光コネクタ組付け方法を提供することにある。
【課題を解決するための手段】
【０００７】
上記課題を解決することができる本発明に係る光コネクタ組付け用治具は、内蔵光ファイバを有する光コネクタに、メカニカルスプライスを用いて光ファイバを接続する光コネクタ組付け用治具であって、
前記光ファイバを収容する光ファイバ収容溝を長手方向に有し、該光ファイバ収容溝に収容されている該光ファイバの前記内蔵光ファイバから離れる後部を拘束する光ファイバ後部押えを有するベースと、前記光ファイバ収容溝に収容されている前記光ファイバの前記内蔵光ファイバに近い前部を支持する光ファイバ前部支持部を有して前記ベースの長手方向に移動可能なガイドとを備え、前記ベースを前記光コネクタに向けて進行させることで前記光ファイバの中間部を該光ファイバ収容溝から離脱させて撓ませ、該ベースを該光コネクタに向けてさらに進行させることで、該光ファイバに有する心線を前記内蔵光ファイバに接続することを特徴としている。
【０００８】
このように構成された光コネクタ組付け用治具によれば、光ファイバ後部押えにより拘束されている光ファイバは、中間部を撓ませた際に蓄積される反発力を用いて光コネクタ内の内蔵光ファイバへの接続が行なわれる。このとき、光ファイバに蓄積される反発力は、例えば光ファイバの外径が０．９ｍｍであるときは、適切な０．２Ｎの挿入荷重に設定される。これにより、確実な光学的接続を容易に行うことができる。
【０００９】
また、本発明に係る光コネクタ組付け用治具は、前記光ファイバ収容溝が前記ベースの底部から上部に向けて凸形状に形成されていることが好ましい。
【００１０】
このように構成された光コネクタ組付け用治具によれば、光ファイバは、ベースの光ファイバ収容溝に収容された際に、ベースの底部から上部に向けて凸形状に予め湾曲されて保持されるため撓み方向をベースの上方に指向される。そして、光ファイバ後部押えにより後部を押えられてからベースを光コネクタに向けて進行した際に、光ファイバ収容溝から離脱して、ベースの上部からさらに湾曲して撓むことで所定の反発力を蓄積することができる。
【００１１】
また、本発明に係る光コネクタ組付け用治具は、前記ベースが前記光ファイバ収容溝に収容されている前記光ファイバの中間部を拘束可能な光ファイバ中間部押えを有していることが好ましい。
【００１２】
このように構成された光コネクタ組付け用治具によれば、光ファイバ中間部押えにより、ベースの光ファイバ収容溝に収容された光ファイバの中間部を拘束しておき、ベースを光コネクタに向けて進行させる。そして、光ファイバ中間部押えによる光ファイバへの拘束を解除することで、光ファイバに反発力を蓄積させて効率良く撓ませることができる。
【００１３】
また、本発明に係る光コネクタ組付け用治具は、前記ガイドの光ファイバ中間部押えが前記ベースの進行により自動的に開放されることが好ましい。
【００１４】
このように構成された光コネクタ組付け用治具によれば、ベースを光コネクタに向けて進行させた際に、光ファイバ中間部押えを自動的に開放するため、光ファイバの中間部への拘束解除を極めて簡単に行うことができる。
【００１５】
上記課題を解決することができる本発明に係る光コネクタ組付け方法は、内蔵光ファイバを有する光コネクタに、メカニカルスプライスを用いて光ファイバを接続する光コネクタ組付け方法であって、
前記光ファイバを収容する光ファイバ収容溝を長手方向に有し、該光ファイバ収容溝に収容されている前記光ファイバの前記内蔵光ファイバから離れる後部を拘束する光ファイバ後部押えを有するベースと、前記光ファイバ収容溝に収容されている該光ファイバの該内蔵光ファイバに近い前部を支持する光ファイバ前部支持部を有して該ベースの長手方向に移動可能なガイドと、を備えた光コネクタ組付け用治具を用い、
前記ガイドの前記光ファイバ前部支持部により前記光ファイバの前部を支持して、前記光ファイバ後部押えにより前記光ファイバ収容溝に収容されている該光ファイバの後部を押え、前記ベースを前記光コネクタに向けて進行させる工程と、前記光ファイバの中間部を前記光ファイバ収容溝から離脱させて撓ませ、前記ベースを前記光コネクタに向けてさらに進行させて、該光ファイバに有する心線を前記内蔵光ファイバに接続する工程と、を含むことを特徴としている。
【００１６】
このように構成された光コネクタ組付け方法によれば、ガイドの光ファイバ前部支持部により光ファイバの前部を支持して、ベースの光ファイバ後部押えにより光ファイバ収容溝に収容されている光ファイバの後部を拘束する。そして、ベースを光コネクタに向けて進行させてから、光ファイバの中間部を光ファイバ収容溝から離脱させて撓ませ、ベースを光コネクタに向けてさらに進行させる。これにより、光ファイバ後部押えにより拘束されている光ファイバに蓄積された反発力を用いて光コネクタ内の内蔵光ファイバへの接続が行なわれる。このとき、例えば光ファイバの外径が０．９ｍｍであるとき、適切な０．２Ｎの挿入荷重に設定される。これにより、確実な光学的接続を容易に行って光コネクタの組付けを行うことができる。
【発明の効果】
【００１７】
本発明に係る光コネクタ組付け用治具および光コネクタ組付け方法によれば、内蔵光ファイバを有する光コネクタに、メカニカルスプライスを用いて光ファイバを接続する光コネクタ組付け用治具および光コネクタ組付け方法において、確実な光学的接続を容易に行うことができる光コネクタ組付け用治具および光コネクタ組付け方法を提供できる。
【発明を実施するための最良の形態】
【００１８】
以下、図を参照して本発明の好適な実施形態を説明する。
【００１９】
図１〜図１５は本発明に係る光コネクタ組付け用治具および光コネクタ組付け方法の一実施形態を示すもので、図１は本発明の一実施形態に係る光コネクタ組付け方法を適用した光コネクタ組付け用治具の外観斜視図、図２は図１の光コネクタ組付け用治具による光コネクタ組付け方法の第１工程の外観斜視図、図３は図２の縦断面図、図４は図１の光コネクタ組付け用治具による光コネクタ組付け方法の第２工程の外観斜視図、図５は図４の縦断面図、図６は図１の光コネクタ組付け用治具による光コネクタ組付け方法の第３工程の外観斜視図、図７は図６の縦断面図である。
【００２０】
また、図８は図１の光コネクタ組付け用治具による光コネクタ組付け方法の第４工程の外観斜視図、図９は図８の縦断面図、図１０は図１の光コネクタ組付け用治具による光コネクタ組付け方法の第５工程の外観斜視図、図１１は図１０の縦断面図、図１２は図１の光コネクタ組付け用治具による光コネクタ組付け方法の第６工程の外観斜視図、図１３は図１２の縦断面図、図１４は本発明の一実施形態に係る光コネクタ組付け方法を適用する光コネクタ組付け用治具の変形例の外観斜視図、図１５は図１４の光コネクタ組付け用治具よる光コネクタ組付け方法の第６工程相当の外観斜視図である。
【００２１】
本発明の一実施形態である光コネクタ組付け用治具１０は、光ファイバ収容溝１２と光ファイバ中間部押え１３と光ファイバ後部押え１４とを有するベース１１と、光ファイバ前部支持部１６を有するガイド１５とから構成されている。そして、この光コネクタ組付け用治具１０により、光ファイバ収容溝１２に収容された光ファイバ９０が、くさび部材７１を介して組立補助治具７２に保持されている光コネクタ７３に組付けられる（図４参照）。
【００２２】
本発明の一実施形態である光コネクタ組付け用治具１０に適用される光ファイバ９０は、被覆を有する光ファイバ心線９１の周囲に、アラミド繊維等からなる不図示の抗張力体が縦添えされている。その周囲にＰＶＣ等の外被９２が形成されている。具体的な構成を例示すると、光ファイバ心線９１の外径は０．９ｍｍであり、抗張力体は１１４０デニールのアラミド繊維束を光ファイバ心線９１の周囲に５束集合させたものである。また、光ファイバ心線９１の外被９２は、内径１．２ｍｍ、外径３．０ｍｍに形成されたＰＶＣ層である。
【００２３】
なお、光ファイバ９０に要求される性能としては、機械特性を維持するために光ファイバ心線９１に対して抗張力体が長手方向に移動しないことや、配線及び収納の際に曲げ易い可撓性を有すること等がある。抗張力体の移動を防ぐには、外被の内側で抗張力体が高密度に配置されることが望ましいが、スプリングバックの光ファイバ心線の移動性を失わない程度に調節すると良い。また、側圧による伝送特性の低下を防ぐためには、外被が厚い方が好ましい。
【００２４】
また、光ファイバ９０は、上記以外の構造も採用可能である。例えば、外被９２が２層構造となっていても良い。外被９２の内層及び外層は、それぞれ所望の弾性や難燃性が得られるように材質が選定されるが、例えば外層を内層より硬質のＰＶＣとすることで、外被９３により抗張力体を締め付ける作用が得られ易くなり、取り扱い性も向上する。
【００２５】
また、光ファイバ心線９１の周囲に設けられた抗張力体の他に、さらに外被９２の層の中に抗張力体が設けられた構造となっていても良い。この構成では、抗張力体が加わったことで光ファイバ９０としての抗張力性が向上しており、取り扱い性に優れる。なお、本実施形態では、光ファイバ９０において、光コネクタ７３に接続される部分を前部９３、光コネクタ７３から離れたベース１１上の位置を後部９４、前部９３と後部９４との中間部分を中間部９５と称する。
【００２６】
図１、図２に示すように、ベース１１は、例えば硬質の樹脂材料を用いて横長の板形状に形成されている。このベース１１上面の中央部には、長手方向の前部から後部まで光ファイバ９０の外径よりも僅かに大きい内径を有するＵ字溝状の光ファイバ収容溝１２が形成されている。この光ファイバ収容溝１２は、ベース１１の底面から上面に向けて凸形状に形成されている。ベース１１は、その前端部に二股形状の組立補助治具ガイド受１７が突出形成されている。
【００２７】
光ファイバ中間部押え１３は、ベース１１と同様の硬質の樹脂材料を用いて断面視コ字形状に形成されている。この光ファイバ中間部押え１３は、ベース１１の前方側に、例えば不図示のヒンジ軸を介して開閉自在に組み付けられている。
【００２８】
光ファイバ中間部押え１３は、先端部に有する係合孔１８をベース１１に有する係合突起１９に係合させることで、光ファイバ収容溝１２に収容されている光ファイバ９０を拘束してベース１１に移動不可に保持する。また、光ファイバ中間部押え１３は、ベース１１が光コネクタ７３に向けて進行した際にガイド１５に押圧してガイド１５を光コネクタ７３に当接させる押圧部２０を有している。
【００２９】
光ファイバ後部押え１４は、ベース１１と同様の硬質の樹脂材料を用いて断面視コ字形状に形成されており、ベース１１の後端部に、例えば不図示のヒンジ軸を介して開閉自在に組み付けられている。この光ファイバ後部押え１４は、先端部に有する係合孔２１をベース１１に有する係合突起２２に係合させることで、光ファイバ収容溝１２に収容されている光ファイバ９０を拘束してベース１１に移動不可に保持する。
【００３０】
ガイド１５は、ベース１１と同様の硬質の樹脂材料を用いてＩ字形状に形成されており、板形状をなす支持板２３の前端部に光ファイバ前部支持部１６を有している。この光ファイバ前部支持部１６は、中央部にＶ字形状の光ファイバ支持溝２４を有し、光ファイバ前部押え２５を連結している。
【００３１】
光ファイバ前部押え２５は、ベース１１と同様の硬質の樹脂材料を用いて断面視コ字形状に形成されており、光ファイバ前部支持部１６の上端部に、例えば不図示のヒンジ軸を介して開閉自在に組み付けられている。この光ファイバ前部押え２５は、先端部に有する係合突起２６を光ファイバ前部支持部１６に有する係合孔２７に係合させる。これにより、光ファイバ前部支持部１６の光ファイバ支持溝２４に支持されている光ファイバ９０の上方への浮き上がりを押えて光ファイバ前部支持部１６に取り付けられている。
【００３２】
次に、図２〜図１３を参照して、光コネクタ組付け用治具１０の詳細および光コネクタ組付け方法について説明する。
【００３３】
先ず、図２、図３に示すように、光ファイバ９０を光ファイバ収容溝１２に収容し、光ファイバ中間部押え１３と光ファイバ後部押え１４と光ファイバ前部押え２４とを開放する第１工程を行う。このとき、光ファイバ９０は、光ファイバ前部支持部１６の光ファイバ支持溝２４に支持されて、その先端部の外被９２が除去され、露出した光ファイバ心線９１の先端部が所定の長さに切断される。
【００３４】
これにより、光ファイバ９０は、先端部から後部９４までが長さ寸法Ｌ１に設定され、光ファイバ収容溝１２によって、その中間部９５を前部９３から高さ寸法Ｌ２だけ予め湾曲される。これにより、光ファイバ９０は、光ファイバ収容溝１２によってベース１１の底部から上部に向けて凸形状に予め湾曲されて保持されるため、撓み方向がベース１１の上方に指向される。
【００３５】
次に、図４、図５に示すように、光コネクタ組付け用治具１０は、光ファイバ収容溝１２に光ファイバ９０を収容し、光ファイバ中間部押え１３と光ファイバ後部押え１４と光ファイバ前部押え２５が開放されている。この光コネクタ組付け用治具１０を、くさび部材７１を介して光コネクタ７３を組み付けている組立補助治具７２上に配置する第２工程を行う。この第２工程では、光コネクタ組付け用治具１０を組立補助治具７２上に配置することで、光ファイバ９０の光ファイバ心線９１を、光コネクタ７３に有する光ファイバ挿入孔７４に位置決めされる。
【００３６】
次に、図６、図７に示すように、組立補助治具７２上の光コネクタ組付け用治具１０を光コネクタ７３に向けて進行させる第３工程を行う。この第３工程では、ベース１１が光コネクタ７３に向けて進行するため、ベース１１の組立補助治具ガイド受１７を組立補助治具７２に有するガイド突起７５に挿入して行く。そして、ベース１１の光ファイバ中間部押え１３の押圧部２０によってガイド１５の光ファイバ前部押え２４を押圧進行させて、光ファイバ前部押え２４を組立補助治具７２の端部に当接させる。
【００３７】
このとき、光ファイバ９０は、外被９２を光コネクタ７３の光ファイバ挿入孔７４に挿入させる。そして、光ファイバ心線９１は光コネクタ７３内の内蔵光ファイバ７６に対して離間距離Ｌ３を有して接近する。
【００３８】
次に、図８、図９に示すように、ベース１１の光ファイバ中間部押え１３を開放する第４工程を行う。この第４工程では、光ファイバ中間部押え１３を開放することで、光ファイバ後部押え１４によって後部９４を拘束されている光ファイバ９０は、光ファイバ収容溝１２から離脱してベース１１の上方に向けて湾曲して撓む。
【００３９】
このとき、光コネクタ７３の光ファイバ挿入孔７４に挿入されている光ファイバ心線９１は、撓み量に伴って光コネクタ７３内の内蔵光ファイバ７６に対して上述した離間距離Ｌ３よりも大きい離間距離Ｌ４を有して離れる。
【００４０】
次に、図１０、図１１に示すように、組立補助治具７２上の光コネクタ組付け用治具１０を光コネクタ７３に向けてさらに進行させる第５工程を行う。この第５工程では、光ファイバ中間部押え１３の開放に伴って形成されたスペース分でベース１１がさらに進行される。これにより、光ファイバ後部押え１４によって後部９４を拘束されている光ファイバ９０は、光コネクタ７３に向けてさらに進行する。
【００４１】
これにより、ベース１１の組立補助治具ガイド受１７は、組立補助治具７２のガイド突起７５に結合され、光ファイバ９０の中間部９５の撓み量がさらに大きくなる。そして、中間部９５の撓みに伴って蓄積されている反発力により光ファイバ心線９１を光コネクタ７３内の内蔵光ファイバ７６に対して押圧進行させる。この反発力により、光ファイバ心線９１の先端部を内蔵光ファイバ７６にメカニカルスプライス接続させる。
【００４２】
次に、図１１、図１２に示すように、光コネクタ７３の内蔵光ファイバ７６に光学的に接続された光ファイバ９０を光コネクタ組付け用治具１０から取り外す最終の第６工程を行う。この第６工程では、既に開放されている光ファイバ中間部押え１３に加えて、光ファイバ後部押え１４および光ファイバ前部押え２５が開放される。そして、くさび部材７１を組立補助治具７２から取り外すことで、光コネクタ７３に接続された光ファイバ９０を取り出すことができる。
【００４３】
次に、図１４、図１５を参照して、本発明の一実施形態に係る光コネクタ組付け方法を適用する光コネクタ組付け用治具１０の変形例について説明する。なお、図１４、図１５では、光ファイバ９０および光ファイバ後部押え１４は省略する。
【００４４】
図１４、図１５に示すように、本変形例の光コネクタ組付け用治具１０は、ベース１１の光ファイバ中間部押え１３に前方に向けて傾斜した傾斜当接面２８が形成されている。そして、ガイド１５の光ファイバ前部支持部１６に、ベース１１を光コネクタ７３に向けて進行させた際に、傾斜当接面２８に当接して光ファイバ中間部押え１３を自動的に開放させる当接突起２９を備えている。
【００４５】
以上説明したように、本発明の一実施形態に係る光コネクタ組付け用治具１０によれば、光ファイバ後部押え１４により拘束されている光ファイバ９０は、中間部９５を撓ませた際に蓄積される反発力を用いて光コネクタ７３内の内蔵光ファイバ７６への接続が行なわれる。このとき、光ファイバ９０に蓄積される反発力は、光ファイバ９０の外径が、例えば０．９ｍｍであるときに、適切な０．２Ｎの挿入荷重に設定される。これにより、確実な光学的接続を行うことができる。
【００４６】
また、光コネクタ組付け用治具１０によれば、光ファイバ９０は、ベース１１の光ファイバ収容溝１２に収容された際に、ベース１１の底部から上部に向けて凸形状に予め湾曲されて保持されるために撓み方向をベース１１の上方に指向される。そして、光ファイバ後部押え１４により後部９４を押えられてからベース１１を光コネクタ７３に向けて進行した際に、光ファイバ収容溝１２から離脱して、ベース１１の上部からさらに湾曲して撓むことになる。これにより、光ファイバ９０は、所定の反発力を蓄積することができる。
【００４７】
また、光コネクタ組付け用治具１０によれば、光ファイバ中間部押え１３により、ベース１１の光ファイバ収容溝１２に収容された光ファイバ９０の中間部９５を拘束しておき、ベース１１を光コネクタ７３に向けて進行させる。そして、光ファイバ中間部押え１３による光ファイバ９０への拘束を解除することで、光ファイバ９０に反発力を蓄積させて効率良く撓ませることができる。
【００４８】
また、光コネクタ組付け用治具１０によれば、ベース１１を光コネクタ７３に向けて進行させた際に、光ファイバ中間部押え１３を自動的に開放するため、光ファイバ９０の中間部９５への拘束解除を極めて簡単に行うことができる。
【００４９】
また、本発明の一実施形態に係る光コネクタ組付け方法によれば、ガイド１５の光ファイバ前部支持部１６により光ファイバ９０の前部９３を支持して、ベース１１の光ファイバ後部押え１４により光ファイバ収容溝１２に収容されている光ファイバ９０の後部９４を拘束する。そして、ベース１１を光コネクタ７３に向けて進行させてから、光ファイバ９０の中間部９５を光ファイバ収容溝１２から離脱させて撓ませる。そして、ベース１１を光コネクタ７３に向けてさらに進行させることで、光ファイバ後部押え１４により拘束されている光ファイバ９０に蓄積された反発力を用いて光コネクタ７３内の内蔵光ファイバ７６への接続が行われる。このとき、光ファイバ９０の外径が、０．９ｍｍであるとすると、０．２Ｎの適切な挿入荷重で接続される。これにより、確実な光学的接続を容易に行うことができる。
【００５０】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００５１】
【図１】本発明の一実施形態に係る光コネクタ組付け方法を適用した光コネクタ組付け用治具の外観斜視図である。
【図２】図１の光コネクタ組付け用治具による光コネクタ組付け方法の第１工程の外観斜視図である。
【図３】図２の縦断面図である。
【図４】図１の光コネクタ組付け用治具による光コネクタ組付け方法の第２工程の外観斜視図である。
【図５】図４の縦断面図である。
【図６】図１の光コネクタ組付け用治具による光コネクタ組付け方法の第３工程の外観斜視図である。
【図７】図６の縦断面図である。
【図８】図１の光コネクタ組付け用治具による光コネクタ組付け方法の第４工程の外観斜視図である。
【図９】図８の縦断面図である。
【図１０】図１の光コネクタ組付け用治具による光コネクタ組付け方法の第５工程の外観斜視図である。
【図１１】図１０の縦断面図である。
【図１２】図１の光コネクタ組付け用治具による光コネクタ組付け方法の第６工程の外観斜視図である。
【図１３】図１２の縦断面図である。
【図１４】本発明の一実施形態に係る光コネクタ組付け方法を適用する光コネクタ組付け用治具の変形例の外観斜視図である。
【図１５】図１４の光コネクタ組付け用治具よる光コネクタ組付け方法の第６工程相当の外観斜視図である。
【図１６】従来の光コネクタ組付け用治具の概略図である。
【符号の説明】
【００５２】
１０    光コネクタ組付け用治具
１１    ベース
１２    光ファイバ収容溝
１３    光ファイバ中間部押え
１４    光ファイバ後部押え
１５    ガイド
１６    光ファイバ前部支持部
７３    光コネクタ
７６    内蔵光ファイバ
９０    光ファイバ
９１    光ファイバ心線（心線）
９３    前部
９４    後部
９５    中間部
【図１】
2009271431.tif 000003
【図２】
2009271431.tif 000004
【図３】
2009271431.tif 000005
【図４】
2009271431.tif 000006
【図５】
2009271431.tif 000007
【図６】
2009271431.tif 000008
【図７】
2009271431.tif 000009
【図８】
2009271431.tif 000010
【図９】
2009271431.tif 000011
【図１０】
2009271431.tif 000012
【図１１】
2009271431.tif 000013
【図１２】
2009271431.tif 000014
【図１３】
2009271431.tif 000015
【図１４】
2009271431.tif 000016
【図１５】
2009271431.tif 000017
【図１６】
2009271431.tif 000018